(57)【要約】【課題】香り見本の構造を出来る限り簡単にして、しかも操作むらが生じず十分な香気放出量が得られるようにすることである。【解決手段】香り見本Ｆは、対向して配置された第１の押圧板２と第２の押圧板３の側面が弾性側板４によって封止された中空ボックス１と、この中空ボックス１に収納された芳香材より成る。前記弾性側板４は前記第１と第２の押圧板２と３を弾性的に接近または離反可能に支持する連続したシート材料より成り、長さ方向の折り目線４ａによってく字形に折り曲げられ、屈曲部Ｃにおいて２重になった３角形状突起部５が形成されている。【選択図】図１
0003216599.tif 000002
【実用新案登録請求の範囲】
【請求項１】
対向して配置された第１の押圧板と第２の押圧板の側面全周が弾性側板によって封止された多角形中空ボックスと、この中空ボックス内に収納された芳香材を備え、前記弾性側板は横断方向にく字形に折り曲げられた連続した帯状シート材料より成り、多角形中空ボックスのコーナ部に対応する屈曲部において、前記シート材料が折り重なった３角形状突起部を形成し、前記第１の押圧板と第２の押圧板を弾性的に接近また離反可能に支持し、第１または第２の押圧板のいずれかに前記芳香材の香気放出口を設けた香り見本。
【請求項２】
前記中空ボックスは、対向して配置されかつ一端縁部が連続し、側縁部及び他端縁部が不連続の第１の押圧板と第２の押圧板と、これらの側縁部及び他端縁部を封止した弾性側板より成る請求項１に記載の香り見本。
【請求項３】
前記中空ボックスが複数個設けられた請求項１または２に記載の香り見本。
【請求項４】
前記第１の押圧板と第２の押圧板及び側板が連続したシート材料より成るブランクによって形成された請求項１〜３のいずれかに記載の香り見本。
【請求項５】
前記第１の押圧板または第２の押圧板に外面板を固着した請求項１〜４のいずれかに記載の香り見本。
【請求項６】
前記中空ボックスに釣り下げ用係止具を設けた請求項１〜５のいずれかに記載の香り見本。
【考案の詳細な説明】
【技術分野】
【０００１】
この考案は、香料やトイレタリ等の芳香材などを収納して、必要時にその香気成分を放出させることができる香り見本に関する。
【背景技術】
【０００２】
例えば特許文献１には、中空容器に芳香材を収納し、容器を押圧して変形させることにより、容器の中空部に充満した芳香性気体を放出させるようにした放香容器が開示されている。この容器は、加硫ゴムを成形したものであって、変形性が大きく復元弾性に優れており、比較的多量の芳香成分を放散させることができるため、室内の悪臭を消滅させる等の用途が想定される。しかしながら、ゴム容器を着脱自在に嵌合する底壁との密封性や着脱の操作性等を考慮すれば、さらに具体的な機構を付加しなければ実用性はなく、これは勿論コスト上の問題が生じる。
【０００３】
特許文献２には、二つ折り可能な台紙の一方の折り曲げ部に香料収納体を取り付け、この香料収納体に対向する他方の折り曲げ部を押圧部とし、この押圧部で香料収納体を押圧することによって、前記一方の折り曲げ部に設けた噴出孔（香料収納体に設けられた孔に連通している）から香りが噴出するようにした香りテスタが開示されている。即ち香料収納体は、ブリスター成形によるキヤビティ、ジャバラ筒、平袋などの中空体であり、二つ折りにした台紙に挟み込む構造になっており、加圧体である台紙の両側縁が開放されているため、香り収納体を偏りなく加圧する操作が難しく、さらに二つ折り台紙の開き角度をあまり大きくできないため、香り収納体のサイズも限定され、香り放出量にむらが生じると同時に十分な放出量が得られない。
【０００４】
特許文献３には、化粧品収容部とエアーポンプ部を備えた化粧品噴霧容器が開示されている。この容器は、吸気弁や排気ノズル、化粧品誘導管、送風器（ポンプ）などの複雑な構造のエアーポンプ部によって液体香料を噴霧するものであり、化粧品収容部自体の圧縮変形によって噴霧する構造ではなく、また液体香料を直接噴出する容器であって、香り成分を放出するものではない。
【０００５】
従来のこの種の香り見本には、上述のように、実用性に乏しいか、香気放出量が十分でなく、かつ操作によってむらが生じ易い問題があり、また構造が複雑で用途が限定されるものも見られる。
【先行技術文献】
【特許文献】
【０００６】
【特許文献１】特開昭５３−１０６２８１号公報（４９４頁、右上欄５行目〜右下欄１１行目）
【特許文献２】実用新案登録第３１４４０１７号公報（段落００１０〜００１１、図６〜図９）
【特許文献３】実開平２−１１９１０７号公報
【考案の概要】
【考案が解決しようとする課題】
【０００７】
そこで、この考案の課題は、香り見本の構造を出来る限り簡単にして、しかも操作むらが生じずに十分な香気放出量が得られるようにすることである。
【課題を解決するための手段】
【０００８】
上記の課題を解決するために、この考案は、対向して配置された第１の押圧板と第２の押圧板の側面全周が弾性側板によって封止された多角形中空ボックスと、この中空ボックス内に収納された芳香材を備えた香り見本において、前記弾性側板を、横断方向にく字形に折り曲げられた連続した帯状シート材料によって形成し、多角形状中空ボックスのコーナ部に対応する屈曲部において、前記シート材料が折り重なった３角形状突起部を形成し、前記第１の押圧板と第２の押圧板を弾性的に接近また離反可能に支持し、第１または第２の押圧板のいずれかに前記芳香材の香気放出口を設けた構成を採用したのである。
【０００９】
前記中空ボックスは、対向して配置されかつ一端縁部が連続し、側縁部及び他端縁部が不連続の第１の押圧板と第２の押圧板と、これらの側縁部及び他端縁部を封止した弾性側板によって形成することができる。また、中空ボックスを複数個設けることができる。さらに、これらの中空ボックスは、１枚のブランクを折り曲げて形成することができる。
前記中空ボックスの前面に文字や模様等を印刷した外面板や釣り下げ用係止具を設けることができる。
【考案の効果】
【００１０】
この考案によれば、以上のように、第１の押圧板と第２の押圧板の全周を封止してこれらの押圧板を弾性的に接近または離反可能に支持する側板を、連続する帯状シート材料を折り畳むだけで形成したため、高価な材料を用いることなく、簡単な構造で中空ボックスを形成することができると同時に、第１と第２の押圧板のほぼ全周に弾性側板が設けられているため、中空ボックス全体を均等に圧縮することができ、そのため十分な香気が放出される。
【図面の簡単な説明】
【００１１】
【図１】香り見本の一例を示す斜視図、
【図２】同上の側面図、
【図３】同上の底面図、
【図４】弾性側板の屈曲部説明用の（Ａ）はシートの平面図、（Ｂ）は屈曲部の平面図、
【図５】中空ボックスの他の例を示す（Ａ）は平面図、（Ｂ）は側面図、
【図６】香り見本の修飾例を示す（Ａ）は正面図、（Ｂ）は側面図、
【図７】ブランクの一例を示す平面図、
【図８】ブランクの他の例を示す平面図、
【図９】ブランクのその他の例を示す平面図、
【図１０】図７のブランクの他の例を示す平面図、
【図１１】図８のブランクから形成した中空ボックスの（Ａ）は正面図、（Ｂ）は側面図、（Ｃ）は底面図、
【図１２】図９のブランクから形成した香り見本の（Ａ）は正面図、（Ｂ）は底面図である。
【考案を実施するための形態】
【００１２】
以下、この考案の実施形態を添付図面に基づいて説明する。図１、図２、図３に示すように、香り見本Ｆは、平面多角形の中空ボックス１と、このボックス１内に収納された芳香材Ｐより成る。前記中空ボックス１は、第１の押圧板２と、これに対向して設けられた第２の押圧板３と、これらの押圧板２と３を弾性的に接近または離反可能に接続する弾性側板４を備え、この弾性側板４によって前記押圧板２と３の外周縁部全周が封止されており、いずれかの押圧板２または３に香気放出口６が設けられている。
【００１３】
前記弾性側板４は、連続した帯状シート材料を、長さ方向のほぼ中央に設けられた折り目線４ａに沿って、く字形に折り曲げられた形状である。そのため、押圧板２及び３のコーナ部に対応する側板４の横断方向屈曲部Ｃには、３角形を頂点で半折した形状の突起部５がそれぞれ形成される。これらの突起部５では、弾性側板４が重なり合って２重（合せて４重）になっているため、屈曲部Ｃが側板４全体の弾力性を実質的に担っている。
【００１４】
前記突起部５の構造をさらに詳しく説明する。いま、図４（Ａ）のような長方形状シート４０を考え、これに点線で示すような折り目線４１、４２、４３を設ける。折り目線４１は、シート４０を長さ方向に二つ折りにする折り目であり、折り目線４２は、シート４０の横断方向に折り目線４１と直交して設けられる。折り目線４３は、折り目線４２に対して所定の角度αで形成される。即ち折り目線４２、４３によって２等辺３角形部４４が形成される。これらの折り目線４１、４２、４３に沿ってシート４０を折り曲げる。まず、折り目線４１に沿ってシート４０を半折（二つ折り）し、２等辺３角形部４４を、半折シート４０の内側になるよう折り曲げると、図４（Ｂ）に示すように連続する半折シート４０ａと４０ｂとの間に屈曲部Ｃが形成される。
【００１５】
このとき、頂点から半分に折り曲げられた２等辺３角形部４４は、折り重なって２重になった直角３角形状突起部４５を形成し、屈曲部Ｃにおいて、隣接する半折シート４０ｂの内側に突出している。ここで、屈曲部Ｃの屈曲角Ａは［π−２α］となる。即ち２等辺３角形部４４の頂角に等しい。従って、αを選択することによって、屈曲部Ｃの屈曲角Ａを任意に形成することができる。このため、前記弾性側板４によって規定される中空ボックス１の平面形状は種々選択可能である。図５は５角形のボックス１を示す。多角形状は正多角形に限らない。但し、屈曲角Ａはπ／２以上であることが好ましい。π／２より小さいと前記突起部４５（突起部５）の頂点部分が隣接する半折シート４０ｂの外縁から突出し、取り扱い上、また外観的にも好ましくないからである。
【００１６】
図６に示すように、中空ボックス１の押圧板２に、さらに外面板７を固着することができる。この外面板７には、前記押圧板２の放出口６と連通する香気放出口７ａが設けられている。外面板７の形状は、押圧板２と同形でなくてもよく、任意の形状を選択することができる。また文字、模様等の印刷を施すことができる。さらに、押圧板３に釣り下げ用フック８を固着することができる。このフック８には、さらに係止穴８ａが設けられ、ワイヤ等に釣り下げることができるようになっている。なお、前記外面板７とフック８を一体にし、外面板７にフックを設けることができる。釣り下げ用手段はフックに限らず、紐や紐の先端にバネ挟み具を付けた係止具など種々選択可能である。
【００１７】
前記中空ボックス１は、連続したシート材料によって形成することができる。図７にそのブランク１０の例を示す。図７に示すように、上下方向の帯状側板パネル１１は、その両側全長に延びる折り目線１１ａ、１１ｂによって区画されており、ほぼ中央を半折折り目線１１ｃが通っている。この側板パネル１１には、前記折り目線１１ａ、１１ｂを介して、順に糊代１４ａと１４ｂ、糊代１５ａと１５ｂ、第１の押圧パネル１２と第２の押圧パネル１３、糊代１６ａと１６ｂが接続されている。また、側板パネル１１には、横断方向の折り目線１４、１５、１６、１７が設けられており、端部の折り目線１７を介して糊代１８が設けられている。
【００１８】
いま、第１の押圧パネル１２と第２の押圧パネル１３を折り目線１１ａ、１１ｂに沿ってほぼ直角に折り曲げ、側板パネル１１から略コ字状に立ち上ったこれらの押圧パネル１２、１３の端縁部１２ｂと１３ｂ、側縁部１２ａと１３ａ、端縁部１２ｃと１３ｃに沿わせて、側板パネル１１を折り目線１５、１４、１６、１７によって折り曲げ、糊代１５ａと１５ｂ、糊代１４ａと１４ｂ、糊代１６ａと１６ｂをそれぞれ押圧パネル１２と１３の内面に当てがうように折り曲げて接着剤で固着し、側板パネル１１の両端も糊代１８によって接続する。そして、３角形状折り目線１４ｃ、１５ｃ、１６ｃ、１７ｃを図４で説明したように半折折り目線１１ｃと共に折り曲げると、図１に示すような弾性側板４を有する中空ボックス１が形成される。なお、図７中、符号１９は香気放出口である。
【００１９】
図８は他のブランク２０を示す。図示のように、折り目線２１ａと２１ｂによって区画される側板パネル２１は、横方向に延びており、ほぼ中央に半折折り目線２１ｃが設けられている。側板パネル２１の中間から縦方向に、折り目線２１ｂを介して、第２の押圧パネル２３が接続され、この押圧パネル２３に、折り目線２４を介して第１の押圧パネル２２が接続されている。また、側板パネル２１の両側には、折り目線２１ａと２１ｂを介して、糊代２４ａと２４ｂ及び糊代２４ｃと２４ｄがそれぞれ接続されている。さらに側板パネル２１の中央部には、第２の押圧パネル２３と同幅の折り目線２６と２７が横断方向に設けられ、これらの折り目線２６と２７を底辺とする３角形状折り目線２６ａと２７ａが形成されている。前記折り目線２６と２７の先端には糊代２８が設けられている。なお、符号２９は香気放出口を示す。
【００２０】
上記ブランク２０を折り目線２１ａ、２１ｂ、２４、２６、２７に沿って折り曲げ、糊代２４ｃと２４ｄを第２の押圧パネル２３の側縁部２３ａと２３ｂの内面に接着し、糊代２４ａと２４ｂを第１の押圧パネル２２の側縁部２２ａと２２ｂの内面に接着し、糊代２８を第１の押圧パネル２２の端縁部２２ｃの内面に接着し、３角形状折り目線２６ａと２７ａ及び折り目線２６と２７に囲まれた部分を半折折り目線２１ｃと同時に折り曲げて前述した図１の突起部５（図４の突起部４５）と同様の突起部２５（図１１（Ｃ））を形成する。形成した中空ボックス１を図１１に示す。図１１（Ｂ）に示すように中空ボックス１は側面方向から見ると細長い３角形状であって、第１の押圧パネル２２と第２の押圧パネル２３が頂点部で連結され、この連結部を支点として第１及び第２の押圧パネル２２、２３が接近または離反可能となっている。このとき、半折した側板パネル２１及び前述した突起部２５によって反発弾性が与えられる。
【００２１】
図９は図７のブランク１０を並列して設けた例を示す。これによって図１２に示すように、中空ボックス１が２連になった香り見本Ｆが得られる。
図７乃至図９は、図１、図１１、図１２の中空ボックス１を形成するブランク１０、２０の一例を示すだけである。ブランク１０、２０の形状はこれらに限らない。例えば図７のブランク１０に代えて図１０に示すブランク１０を用いても、図１のような中空ボックス１を形成することができる。また、図８のブランク２０では、例えば側板パネル２１を挟んで上下に第１の押圧パネル２２と第２の押圧パネル２３を配置することができる。
前記中空ボックス１またはブランク１０、２０を形成する弾性シート材料としては、クラフト紙、板紙、段ボール、不織布、合成樹脂シート等の単体または積層体或はこれらに合成樹脂コーティングを施したり、アルミニウム等の金属箔を積層したり、金属蒸着を施したものなどが用いられる。また、中空ボックス１内に収納する芳香材Ｐは、固形体、粉粒体、液体のいずれでもよく、これらの芳香材Ｐを通気性フィルムによって包装したり、液体の場合には、スポンジ、綿（わた）、不織布などに含浸して同様に通気性フィルムで包装し、中空ボックス１内に収納することができる。
【００２２】
上記のようにして中空ボックス１内に芳香材Ｐを収納した香り見本Ｆを使用する際には、中空ボックス１の第１の押圧板２を第２の押圧板３に接近する方向に手指で押圧すると、中空ボックス１が弾性側板４の弾性に抗して圧縮され、芳香材Ｐから発せられて中空ボックス１内に充満した濃厚な香気が放出口６から外気中に勢い良く放出されるので、これを嗅覚によって識別することができる。手指による押圧を解くと、弾性側板４によって押圧板２と３が離反する方向に加圧されて中空ボックス１の圧縮が自動的に開放されると同時に放出口６から新しい外気が中空ボックス１内に吸引される。
【００２３】
上記のように、香り見本Ｆは、より濃厚な香気を放出できるので香気テスタとして好適であるが、そのほか室内などに芳香を散布したり、悪臭を除去するために芳香材や除去剤を散布するのに用いることもできる。
【符号の説明】
【００２４】
１  中空ボックス
２  第１の押圧板
３  第２の押圧板
４  弾性側板
４ａ  折り目線
５  突起部
６  香気放出口
７  外面板
７ａ  香気放出口
８  フック
８ａ  係止穴
１０  ブランク
１１  側板パネル
１１ａ、１１ｂ、１１ｃ  折り目線
１２  第１の押圧パネル
１２ａ  側縁部
１２ｂ、１２ｃ  端縁部
１３  第２の押圧パネル
１３ａ  側縁部
１３ｂ、１３ｃ  端縁部
１４、１５、１６、１７  折り目線
１４ａ、１４ｂ  糊代
１５ａ、１５ｂ  糊代
１６ａ、１６ｂ  糊代
１４ｃ、１５ｃ、１６ｃ、１７ｃ  ３角形状折り目線
１８  糊代
１９  香気放出口
２０  ブランク
２１  側板パネル
２１ａ、２１ｂ、２１ｃ  折り目線
２２  第１の押圧パネル
２２ａ、２２ｂ  側縁部
２２ｃ  端縁部
２３  第２の押圧パネル
２３ａ、２３ｂ  側縁部
２４  折り目線
２４ａ、２４ｂ、２４ｃ、２４ｄ  糊代
２５  突起部
２６、２７  折り目線
２６ａ、２７ａ  ３角形状折り目線
２８  糊代
２９  香気放出口
４０  長方形状シート
４０ａ、４０ｂ  半折シート
４１、４２、４３  折り目線
４４  ２等辺３角形部
４５  突起部
Ｃ  屈曲部
Ｆ  香り見本
Ｐ  芳香材
Ａ  屈曲角
α  折り目線４３の角度
【図１】
0003216599.tif 000003
【図２】
0003216599.tif 000004
【図３】
0003216599.tif 000005
【図４】
0003216599.tif 000006
【図５】
0003216599.tif 000007
【図６】
0003216599.tif 000008
【図７】
0003216599.tif 000009
【図８】
0003216599.tif 000010
【図９】
0003216599.tif 000011
【図１０】
0003216599.tif 000012
【図１１】
0003216599.tif 000013
【図１２】
0003216599.tif 000014